(57)【要約】【課題】  信頼性の高いラジエータを提供する。【解決手段】  複数のフィンが接触している複数のチューブと、複数のインサートと、チューブとインサートを連結しているコアプレートとで構成されている、コア部と、複数のチューブの各々の両端が液密に接合されている、一対のタンクとを備え、一対のタンクの一方に流入した高温の液体が複数のチューブを介して一対のタンクの他方に流れつつ、空気がチューブ外面を通る、ラジエータにおいて、チューブとインサートは、コア部の２つの外側面を構成しており、コア部の２つの外側面の各々において、少なくとも１つの補強部材が複数のチューブ及び複数のインサートの各々に接合されている。【選択図】      図１
2005345039.tif 000002
【特許請求の範囲】
【請求項１】
複数のフィンが接触している複数のチューブと、複数のインサートと、前記チューブと前記インサートを連結しているコアプレートとで構成されている、コア部と、
前記複数のチューブの各々の両端が液密に接合されている、一対のタンクとを備え、
前記一対のタンクの一方に流入した高温の液体が前記複数のチューブを介して前記一対のタンクの他方に流れつつ、空気が前記チューブ外面を通る、ラジエータにおいて、
前記チューブと前記インサートは、前記コア部の２つの外側面を構成しており、前記コア部の２つの外側面の各々において、少なくとも１つの補強部材が前記複数のチューブ及び前記複数のインサートの各々に接合されていることを特徴とするラジエータ。
【請求項２】
前記少なくとも１つの補強部材は、１つの部材であり、前記複数のチューブ及び前記複数のインサートの各々の長手方向において略中央に配置されていることを特徴とする請求項１に記載のラジエータ。
【請求項３】
前記少なくとも１つの補強部材は、２つ以上の部材であり、かつ前記複数のチューブ及び前記複数のインサートの各々の長手方向において略等間隔に配置されていることを特徴とする請求項１に記載のラジエータ。
【請求項４】
前記少なくとも１つの補強部材は、前記コア部の外側面の略中央近傍において略Ｘ字形状であり、前記コア部の外側面の両端近傍において前記Ｘ字の４つの端部から略横断方向に延びている１つの部材であることを特徴とする請求項１に記載のラジエータ。
【発明の詳細な説明】
【技術分野】
【０００１】
本発明は、ラジエータに関し、特にトラック用ラジエータに関する。
【背景技術】
【０００２】
トラック用ラジエータの構成は、乗用車用ラジエータと同様に、コア部の内部において、長手方向に延びているチューブとインサートは、共に、横断方向に延びているコアプレートで連結されている。なお、トラック用ラジエータは、トラックエンジンの大きな熱を冷却するために、乗用車用のものよりも大きいのが一般的である（例えば、特許文献１参照。）。
【０００３】
【特許文献１】特開平０５−２９６６８３号公報
【０００４】
ラジエータのチューブとインサートの寸法が大きいと、ラジエータ作動時においては、チューブとインサートの温度差や材料の違いによる線膨張係数の違いから生じる長手方向の伸びの差、すなわち、歪みが、乗用車用ラジエータよりも大きくなり、その結果、コアプレートの根元がチューブから外れる、いわゆるチューブ根付け割れという現象が生じてしまい、ラジエータの信頼性を得ることができないという問題点があった。
【発明の開示】
【発明が解決しようとする課題】
【０００５】
そこで、本発明の目的は、信頼性の高いラジエータを提供することである。
【課題を解決するための手段】
【０００６】
本発明の請求項１に係るラジエータによれば、複数のフィンが接触している複数のチューブと、複数のインサートと、チューブとインサートを連結しているコアプレートとで構成されている、コア部と、複数のチューブの各々の両端が液密に接合されている、一対のタンクとを備え、一対のタンクの一方に流入した高温の液体が複数のチューブを介して一対のタンクの他方に流れつつ、空気がチューブ外面を通る、ラジエータにおいて、チューブとインサートは、コア部の２つの外側面を構成しており、コア部の２つの外側面の各々において、少なくとも１つの補強部材が複数のチューブ及び複数のインサートの各々に接合されている。このように、チューブとインサートが共通の部材に固定されているので、ラジエータ作動時において、チューブとインサートの長手方向の伸びの差が低減され、ラジエータの信頼性が高められる。
【０００７】
本発明の請求項２に係るラジエータによれば、少なくとも１つの補強部材は、１つの部材であり、複数のチューブ及び複数のインサートの各々の長手方向において略中央に配置されている。
【０００８】
本発明の請求項３に係るラジエータによれば、少なくとも１つの補強部材は、２つ以上の部材であり、かつ複数のチューブ及び複数のインサートの各々の長手方向において略等間隔に配置されている。このように、コア部の外側面で接合された補強部材が２つ以上の場合において、チューブとインサートの長手方向における伸びの差を補強部材の各々が略均等に低減することができる。
【０００９】
本発明の請求項４に係るラジエータによれば、少なくとも１つの補強部材は、コア部の外側面の略中央近傍において略Ｘ字形状であり、コア部の外側面の両端近傍においてＸ字の４つの端部から略横断方向に延びている１つの部材である。これにより、ラジエータ作動時に発生する振動やねじれによってチューブとインサートの長手方向における距離が増すのを防ぐというさらなる利点がある。
【発明を実施するための最良の形態】
【００１０】
以下、本発明の実施例について添付図面を参照しつつ詳細に説明する。最初に第１実施例について説明する。図１は、本発明の第１実施例のラジエータの正面図である。本発明のラジエータ１０は、コア部１と、コア部１を挟んで上下に離間して設けられた一対のタンク６とで概ね構成されている。
【００１１】
コア部１は、図２及び３に示すように、複数のフィン２が接触している複数のチューブ３と、複数のインサート４と、チューブ３とインサート４を連結しているコアプレート５とで構成されている。なお、チューブ３とインサート４は、図１において紙面と平行である、コア部１の２つの外側面１１を構成している。
【００１２】
また、一対のタンク６は、それぞれ、複数のチューブ３のいずれかの端部が液密に接合されている。このような構成により、ラジエータ１０の作動時には、一対のタンク６の一方に流入した高温の液体が複数のチューブ３内を通って一対のタンク６の他方へ流れ、他方、空気がコア部１のチューブ３の外面を通ることにより、チューブ３内の液体とチューブ３の外面の空気が熱交換される。
【００１３】
従来では、ラジエータ１０の作動時においては、チューブ３とインサート４の温度差や材料の違いによる線膨張係数の違いから生じる長手方向の伸びの差、すなわち、歪みが大きくなり、その結果、図２中にＤで示す位置において、コアプレート５の根元がチューブ３から外れる、いわゆるチューブ根付け割れという現象が生じることがある。このような問題を解決するために、本発明によれば、補強部材８が、図３に示すように、コア部１の２つの外側面１１の各々において、Ｓ１で示す個所で複数のチューブ３の各々に接合され、Ｓ２で示す個所で複数のインサート４の各々に接合されている。このように、チューブ３とインサート４が共通の部材に固定されているので、ラジエータ１０の作動時において、チューブ３とインサート４の長手方向の伸びの差が低減され、ラジエータ１０の信頼性が高められる。
【００１４】
好ましくは、２つの補強部材８は、複数のチューブ３及び複数のインサート４の各々の長手方向において略等間隔に配置されている。このように、コア部１の外側面で接合された補強部材８が略等間隔に配置されていることにより、チューブ３とインサート４の長手方向における伸びの差を補強部材８の各々が略均等に低減することができる。なお、この場合、コア部１の高さＨに対して、補強部材８同士の間隔は概ねＨ／３である。
【００１５】
上述では、２つの補強部材８を例にとり説明したが、３つ以上の補強部材８である場合でも、補強部材８が、複数のチューブ３及び複数のインサート４の各々の長手方向において略等間隔に配置されていれば、同様な効果を奏する。また、補強部材８が１つである場合でも、複数のチューブ３及び複数のインサート４の各々の長手方向において略中央に配置されていれば、同様な効果を奏する。
【００１６】
次に、第２実施例について図４を参照しつつ説明する。図４は本発明の第２実施例のラジエータの正面図である。ラジエータ１０の作動時において、矢印Ｔに示すねじれや、矢印Ｇに示す振動が発生する場合には、チューブ３及びインサート４の各々の長手方向における伸びの差が増大してチューブ根付け割れがより生じやすくなる。そこで、本発明の第２実施例のラジエータによれば、補強部材８は、第１実施例と同様に複数のチューブ３及びインサート４の各々に接合されており、かつ第１実施例と異なり、コア部１の外側面１１の略中央近傍において略Ｘ字形状であり、コア部１の外側面１１の両端近傍においてＸ字の４つの端部から略横断方向に延びている。これにより、ラジエータ１０の作動時に振動やねじれを受ける場合でも、チューブ３とインサート４の長手方向における距離が増すのを防ぐというさらなる利点がある。
【図面の簡単な説明】
【００１７】
【図１】本発明の第１実施例のラジエータの正面図である。
【図２】本発明の第１実施例のラジエータの部分縦断面図である。
【図３】本発明の第１実施例のラジエータの部分横断面図である。
【図４】本発明の第２実施例のラジエータの正面図である。
【符号の説明】
【００１８】
１…コア部
２…フィン
３…チューブ
４…インサート
５…コアプレート
６…タンク
８…補強部材
１０…ラジエータ
【図１】
2005345039.tif 000003
【図２】
2005345039.tif 000004
【図３】
2005345039.tif 000005
【図４】
2005345039.tif 000006